(57)【要約】【課題】  火災時等に引戸内で発生したガスが屋内側等に洩れるのを防ぐことができる引戸装置を提供する。【解決手段】  内部に中空部Ｃ１，Ｃ２が形成された引戸２０を横幅方向へ開閉動作させるようにした引戸装置において、引戸２０の周端側の少なくとも一部に、中空部Ｃ１，Ｃ２を引戸外に連通するガス抜き孔２２ｄを設け、引戸２０の周囲の不動部位に、引戸２０の開閉動作を妨げることなくガス抜き孔２２ｄを覆う中空状のガス収容部（上側横枠１１）を設け、中空部Ｃ１，Ｃ２のガスがガス抜き孔２２ｄを通ってガス収容部（上側横枠１１）に収容されるようにした。【選択図】  図８
2014206011.tif 000002
【特許請求の範囲】
【請求項１】
内部に中空部が形成された引戸を横幅方向へ開閉動作させるようにした引戸装置において、
前記引戸の周端側の少なくとも一部に、前記中空部を引戸外に連通するガス抜き孔を設け、
前記引戸の周囲の不動部位に、前記引戸の開閉動作を妨げることなく前記ガス抜き孔を覆う中空状のガス収容部を設け、
前記中空部のガスが前記ガス抜き孔を通って前記ガス収容部に収容されるようにしたことを特徴とする引戸装置。
【請求項２】
前記中空部は、前記ガス抜き孔以外の部分で周壁を略密閉した空間であることを特徴とする請求項１記載の引戸装置。
【請求項３】
前記ガス抜き孔を、前記引戸の上端部に設け、
前記引戸の上方側に、前記ガス抜き孔を含む前記引戸の上端部が挿入される中空状の上側横枠を設け、この上側横枠を、前記ガス収容部としたことを特徴とする請求項１又は２記載の引戸装置。
【請求項４】
前記引戸の上端部における前記ガス抜き孔の近傍に、前記上端部から前記ガス抜き孔内への通路の障壁となるように堤部を突設したことを特徴とする請求項３記載の引戸装置。
【請求項５】
前記堤部は、前記ガス抜き孔の周囲を覆う筒状に形成されていることを特徴とする請求項４記載の引戸装置。
【請求項６】
引戸内の前記中空部に上下方向へ連続する骨材を設け、該骨材により区切られた空間が前記ガス抜き通路へ連通するようにしたことを特徴とする請求項３乃至５何れか１項記載の引戸装置。
【請求項７】
前記引戸は、戸厚方向へ間隔を置いて配置された二枚の表面板と、これら二枚の表面板の下端側に挟まれた骨材とを備え、前記骨材を下方へ開口を向けた断面コ字状であって引戸横幅方向へ連続するように形成し、前記表面板の各々の下端側に、前記骨材の下端縁を包むようにして曲げられた曲げ部を形成したことを特徴とする請求項１乃至６何れか１項記載の引戸装置。
【請求項８】
前記引戸における戸先側端部と戸尻側端部と上端部とのうち、少なくとも一つの端部の近傍に、前記二枚の表面板に挟まれた骨材と、該骨材及び前記二枚の表面板に対し外側から断面コ字状に嵌り合う補強材とを設けたことを特徴とする請求項７記載の引戸装置。
【請求項９】
前記補強材を戸先側端部と戸尻側端部にそれぞれ設け、前記補強材の各々と、前記曲げ部の引戸横幅方向の端部との隙間を略ゼロにしたことを特徴とする請求項８記載の引戸装置。
【発明の詳細な説明】
【技術分野】
【０００１】
本発明は、引戸を横幅方向へ移動させることで開口部を開閉する引戸装置に関するものである。
【背景技術】
【０００２】
従来、この種の発明には、例えば、特許文献１に記載されるもののように、通路用開口部（ｓ）を囲む枠体（１０）と、該枠体の上枠部（１３）内に横幅方向へわたって装着されたガイドレール（７０）と、該ガイドレール上を転動する吊車（２１）と、該吊車によって吊持された引戸（開閉体２０）と、前記上枠部内で前記吊車を移動させるリニアモータ部（３０）とを具備したものがある。
【０００３】
ところで、上記従来技術のような引戸装置では、引戸（２０）が表裏両側の表面板と、これら表面板を接続する骨材等からなる中空状に形成され、この引戸（２０）の内部には芯材（例えばペーパーコアや、防音材、断熱材等）が設けられている。
したがって、火災時等に火炎を受けて、引戸（２０）内が高温になると、前記芯材や、表面板等を止着している接着剤、その他の物等が溶融したり揮発したり等し、有機ガスを発生する場合がある。そして、前記ガスは、前記表面板の接合部分の隙間等を通って外部に洩れると、通行者や外部の物体等に悪影響を与えるおそれがある。
【先行技術文献】
【特許文献】
【０００４】
【特許文献１】特開２００５−９００４０号公報
【発明の概要】
【発明が解決しようとする課題】
【０００５】
本発明は上記従来事情に鑑みてなされたものであり、その課題とする処は、火災時等に引戸内で発生したガスが屋内側等に洩れるのを防ぐことができる引戸装置を提供することにある。
【課題を解決するための手段】
【０００６】
上記課題を解決するための一手段は、内部に中空部が形成された引戸を横幅方向へ開閉動作させるようにした引戸装置において、前記引戸の周端側の少なくとも一部に、前記中空部を引戸外に連通するガス抜き孔を設け、前記引戸の周囲の不動部位に、前記引戸の開閉動作を妨げることなく前記ガス抜き孔を覆う中空状のガス収容部を設け、前記中空部のガスが前記ガス抜き孔を通って前記ガス収容部に収容されるようにしたことを特徴とする。
【発明の効果】
【０００７】
本発明は、以上説明したように構成されているので、火災時等に引戸内で発生したガスが屋内側等に洩れるのを防ぐことができる。
【図面の簡単な説明】
【０００８】
【図１】本発明に係る引戸装置を室内側から視た正面図である。
【図２】図１における(II)-(II)線に沿う断面図である。
【図３】図１における(III)-(III)線に沿う断面図である。
【図４】図１における(IV)-(IV)線に沿う断面図である。
【図５】同引戸装置について、駆動装置を有する部分の縦断面図である。
【図６】図１における(VI)-(VI)線に沿う断面図である。
【図７】図１における(VII)-(VII)線に沿う断面図である。
【図８】引戸の要部を切欠して内部を示す構造図である。
【図９】引戸を上方から視た図である。
【図１０】引戸を下方から視た図である。
【図１１】引戸の要部横断面図である。
【図１２】戸袋側のパネルの一例を示し、（ａ）は正面図、（ｂ）は側面図である。
【図１３】上端側の迂回路の一例を示す縦断面図である。
【図１４】戸尻側の迂回路の一例を示す横断面図である。
【図１５】引戸の下端側を示す要部拡大縦断面図である。
【図１６】本発明に係る引戸装置の他例を示す横断面図である。
【図１７】上端側防炎補助部材の他例を示し、（ａ）は平面図、（ｂ）は正面図、（ｃ）は左側面図である。
【発明を実施するための形態】
【０００９】
本実施の形態の第一の特徴は、内部に中空部が形成された引戸を横幅方向へ開閉動作させるようにした引戸装置において、前記引戸の周端側の少なくとも一部に、前記中空部を引戸外に連通するガス抜き孔を設け、前記引戸の周囲の不動部位に、前記引戸の開閉動作を妨げることなく前記ガス抜き孔を覆う中空状のガス収容部を設け、前記中空部のガスが前記ガス抜き孔を通って前記ガス収容部に収容されるようにした。
この構成によれば、火災時等の高熱に起因して引戸内にガスが発生した場合、このガスを、ガス抜き孔に通してガス収容部へ逃がすことができる。
なお、前記「引戸の周端側」には、前記引戸の上端部、戸先側端部、戸尻側端部、下端部、引戸表裏面における端部寄りの部分等を含むが、前記中空部のガスを効果的に抜くためには、前記引戸の上端部又は上端部近傍に位置するのが好ましい。
また、前記「ガス収容部」は、前記引戸の上端部を覆うように形成された上側横枠や、前記引戸の戸尻部分を覆うように形成された戸袋部、全閉時の前記引戸の戸先部分を覆うように形成された戸先側縦枠、前記引戸の下端部を覆うように形成された下枠等とすることが可能であるが、特に、前記ガスを効果的に収容するためには、前記ガス収容部を上側横枠又は戸袋部とするのが好ましい。
【００１０】
第二の特徴としては、前記中空部は、前記ガス抜き孔以外の部分で周壁を略密閉した空間である。
この構成によれば、火災時等に引戸内で発生したガスが、ガス抜き孔以外の部分から外部に洩れるのを防ぐことができる。
【００１１】
第三の特徴としては、前記ガス抜き孔を、前記引戸の上端部に設け、前記引戸の上方側に、前記ガス抜き孔を含む前記引戸の上端部が挿入される中空状の上側横枠を設け、この上側横枠を、前記ガス収容部とした。
この構成によれば、火災時等には加熱により引戸内のガスが上昇するため、この上昇したガスを、引戸上端部のガス抜き孔から効率的に排出し、上側横枠内に収容することができる。
【００１２】
第四の特徴としては、前記引戸の上端部における前記ガス抜き孔の近傍に、前記上端部から前記ガス抜き孔内への通路の障壁となるように堤部を突設した。
この構成によれば、火災時の高熱により上側横枠内の物（例えば、引戸を吊るすためのガイドレールや吊車等）が溶融し、その溶融物等が引戸上端部に落下した場合に、その引戸上端部の溶融物等が更にガス抜き孔から引戸内へ侵入するのを防ぐことができ、ひいては、前記溶融物等により引戸内の物体（例えば、芯材や接着剤等）が熱溶融や揮発するのを防ぐことができる。
【００１３】
第五の特徴としては、前記堤部は、前記ガス抜き孔の周囲を覆う筒状に形成されている。
この構成によれば、筒状の堤部によりガス抜き孔への溶融物等の侵入を効果的に阻むことができる。
【００１４】
第六の特徴としては、引戸内の前記中空部に上下方向へ連続する骨材を設け、該骨材により区切られた空間が前記ガス抜き通路へ連通するようにした（図８参照）。
この構成によれば、引戸内で発生したガスをスムーズに上方へ導きガス抜き孔から排出することができ、ひいては、前記ガスが、引戸内で横幅方向へ広がり、部材間の僅かな隙間等から外部へ洩れるようなことを防ぐことができる。
【００１５】
第七の特徴としては、前記引戸は、戸厚方向へ間隔を置いて配置された二枚の表面板と、これら二枚の表面板の下端側に挟まれた骨材とを備え、前記骨材を下方へ開口を向けた断面コ字状であって引戸横幅方向へ連続するように形成し、前記表面板の各々の下端側に、前記骨材の下端縁を包むようにして曲げられた曲げ部を形成した（図１５参照）。
この構成によれば、表面板の下端側を曲げ部によって骨材の下端縁に密着させることができ、ひいては、火災時等に表面板の下端側が熱変形により骨材から剥がれたり、隙間が生じて内部のガスが洩れたりするようなことを防ぐことができる。
【００１６】
第八の特徴としては、前記引戸における戸先側端部と戸尻側端部と上端部とのうち、少なくとも一つの端部の近傍に、前記二枚の表面板に挟まれた骨材と、該骨材及び前記二枚の表面板に対し外側から断面コ字状に嵌り合う補強材とを設けた（図７，図１０，図１１，図１３，図１４）。
この構成によれば、火災時の熱変形により表面板がめくれて隙間が生じ、内部のガスが洩れるようなことを、前記断面コ字状の補強材によって防ぐことができる。
【００１７】
第九の特徴としては、前記補強材を戸先側端部と戸尻側端部にそれぞれ設け、前記補強材の各々と、前記曲げ部の引戸横幅方向の端部との隙間を略ゼロにした（図１０参照）。
この構成によれば、火災時等の高熱により引戸内のガスが前記補強材と前記曲げ部における引戸横幅方向の端部との隙間から外部へ流出するのを防ぐことができる。
【００１８】
さらに好ましい特徴としては、前記引戸における前記ガス抜き孔を有する端部側を、前記ガス収容部に挿入するようにした引戸装置であって、前記引戸と、前記ガス収容部との間の隙間に、前記ガス収容部から前記隙間に侵入する流体の進行方向を逆方向へ向けた後に元の方向へ戻す迂回路が形成されるようにした。
この構成によれば、前記ガス収容部に収容されたガスが、前記隙間から外部に洩れるのを、前記迂回路によって遅延させることができる。
【００１９】
次に、上記特徴を有する好ましい実施例を、図面に基づいて詳細に説明する。
【実施例】
【００２０】
以下の実施例は、病院や、ビル、住宅、倉庫、工場、車両の荷台等の構築・構造物における開口部分に配設され、開閉体を上枠部内のガイドレールに吊り下げて略水平方向へ略直線的に移動させる、上吊方式の引戸装置に適用した一例として説明する。
【００２１】
引戸装置１は、内側に正面視矩形状の通路用開口部Ａを有する枠体１０と、通路用開口部Ａを横幅方向への移動により開閉する引戸２０とを具備する（図１参照）。
この引戸装置１は、火災等による高熱によって引戸２０内の中空部Ｃ１，Ｃ２（図８参照）に発生したガスが、ガス抜き孔２２ｄを通ってガス収容部（図示例によれば上側横枠１１内及び戸袋部Ｂ内）に収容されるように構成してある。
【００２２】
枠体１０は、引戸２０の開閉経路の上方側に位置する上側横枠１１と、通路用開口部Ａの閉鎖方向側（図１によれば左端側）に位置する戸先側縦枠１２と、引戸２０の開閉範囲の中央寄りに位置する中央側縦枠１３と、全開時の引戸２０の戸尻に対向するように位置する戸尻側縦枠１４とを具備する。
そして、この枠体１０は、図１に示す一例によれば、その枠内の左側部分に通路用開口部Ａを配置し、同枠内の右側を部分に、引戸２０を収納するための戸袋部Ｂを配置し、構築構造物等の開口部内縁に嵌め合せられるとともに、戸袋部Ｂを前記構築構造物等の壁内に埋め込んでいる。
【００２３】
上側横枠１１は、引戸２０の開閉範囲の略全長にわたってその上方側に位置し、引戸開閉方向へ連続するとともに戸袋部Ｂ内に連通した中空状に形成されるとともに、ガス抜き孔２２ｄを含む引戸２０の上端側を挿入している。
この上側横枠１１の閉鎖方向側（図１によれば左方向側）の端部は、戸先側縦枠１２により閉鎖され、同上側横枠１１の開放方向側（図１によれば右方向側）の端部は、戸尻側縦枠１４によって閉鎖される。よって、上側横枠１１及び戸袋部Ｂによって形成される空間は、引戸２０の上端側を挿入するための上側横枠１１の開口部、及び同引戸２０を出没する戸袋部Ｂ側の開口部以外、周壁面を略密閉状に閉鎖している。
【００２４】
上側横枠１１は、通路用開口部Ａの上方に位置する開口側部位１１ａと、戸袋部Ｂの上方に位置する戸袋側部位１１ｂとを有し、引戸開閉方向へ連続する略中空箱状に形成される。これら開口側部位１１ａと戸袋側部位１１ｂは、引戸開閉方向へわたる一体の部材としてもよいし、別体の部材を接合してなるものであってもよい。
【００２５】
上側横枠１１の開口側部位１１ａは、図２に示すように、縦断面略逆Ｌ字状の基部１１ａ１と該基部に対し着脱可能なカバー部１１ａ２とを具備し、引戸開閉方向へ連続する空間を確保している。
【００２６】
また、上側横枠１１の戸袋側部位１１ｂは、図３に示すように、縦断面略逆Ｌ字状の基部１１ｂ１と該基部に対し着脱不能に装着された防火板１１ｂ２とを具備し、引戸開閉方向へ連続するとともに戸袋部Ｂ内にも連通した空間を確保している。
【００２７】
防火板１１ｂ２は、その上端側にフック状の掛止部１１ｂ２１（図３及び図１２（ｂ）参照）を有し、この掛止部１１ｂ２１を、戸袋部Ｂ内側へ凹ませ、基部１１ｂ１に引っ掛けて溶接固定されている（図３参照）。
【００２８】
また、上側横枠１１内には、横幅方向の略全長にわたる断面略Ｌ字状のガイドレール１１ｃ（図２及び図３参照）や、全閉時（又は全開時）の衝撃を緩和する制動装置１１ｄ（図２参照）、引戸２０を閉鎖方向へ付勢する駆動装置１１ｅ（図５参照）、全開時の引戸２０を受ける戸当たり部材１１ｆ（図３参照）、ガイドレール１１ｃ下側の受部材１１ｇ等が設けられる。
【００２９】
受部材１１ｇは、引戸開閉方向へわたってガイドレール１１ｃを下方側から覆い受ける縦断面略Ｌ字状の部材であり（図２参照）、詳細には、引戸２０の横幅寸法よりも若干長く形成され、通路用開口部Ａの横幅方向の全長にわたって連続するとともにその引戸開放方向側の端部を戸袋部Ｂ内に挿入させた状態で、上側横枠１１の基部１１ａ１に固定されている。この受部材１１ｇの戸厚方向の突端側は、図２に示すように、ガイドレール１１ｃ及び吊車２４を下方から覆い、上方向きに曲げられて、吊車２４及び支持ブラケット２３との干渉や当接を避けるために、吊車２４と支持ブラケット２３の間に入り込むように位置する。この受部材１１ｇの材質は、耐熱性及び耐腐食性の良好な材料であればよく、例えば、亜鉛メッキ鋼板等とされる。
この受部材１１ｇによれば、火災時の高熱により、ガイドレール１１ｃ、吊車２４、制動装置１１ｄ、駆動装置１１ｅ（図５参照）等が溶融した場合に、その溶融物を下方から受け、該溶融物の落下を阻止する。
【００３０】
また、上側横枠１１の逆Ｌ字状の基部１１ａ１は、図２に示すように、その下端側が、枠体側突片部１１ａ１１を有する断面凹状に形成され、同様に、カバー部１１ａ２も、その下端側が、枠体側突片部１１ａ２１を有する断面凹状に形成される。これら断面凹状の部分は、火災時の溶融物等の落下物を受ける受部としても機能する。
【００３１】
また、戸先側縦枠１２は、通路用開口部Ａの引戸閉鎖方向側の端部に位置する部材であり、上側横枠１１から床面にわたる上下方向へ連続している（図１参照）。この戸先側縦枠１２における引戸２０に対向する面には、引戸２０の戸先を嵌脱する凹部１２ａが上下方向へわたって形成される（図４参照）。
なお、図４中、符号１２ｂは、火災時に戸先側縦枠１２が熱変形するのを防ぐ板状の補強材であり、上下方向に間隔を置いて複数溶接されている。
【００３２】
中央側縦枠１３は、開閉体開放方向側にて通路用開口部Ａの内縁を形成する部材であり、上側横枠１１の下端から床面にわたる上下方向へ連続するとともに、開放動作した際の引戸２０を挿入する開口部を有する（図４参照）。
そして、中央側縦枠１３における前記開口部内側には、図４に示すように、引戸２０を挟んで戸厚方向の両側に位置するように、枠体側突片部１３ａ，１３ａが設けられる。
これら枠体側突片部１３ａ，１３ａの各々は、中央側縦枠１３の前記開口部の内縁から引戸２０面側へ突出するとともに、引戸２０面に沿って戸尻方向へ折れ曲った横断面略Ｌ字状に形成され（図４参照）、通路用開口部Ａの上下方向の略全長にわたり連続している。
【００３３】
また、戸尻側縦枠１４は、戸袋部Ｂの引戸開放方向側の端部を構成する部材であり（図１参照）、上側横枠１１から床面にわたる上下方向へ連続している。この戸尻側縦枠１４には、全開時の引戸２０の戸尻側端部を受けて、その衝撃を緩和する緩衝材１５（例えばゴム等の弾性体）が固定されている（図４参照）。
【００３４】
中央側縦枠１３と戸尻側縦枠１４の間の空間は、開放した際の引戸２０を収納する戸袋部Ｂであり、この戸袋部Ｂの戸厚方向の両端面は、図３に示すように、耐火性の防火板１１ｂ２，１１ｂ３，１１ｂ４（例えば、鉄板等）により構成される。
なお、図３及び図４中、符号１１ｐは、防火板１１ｂ２，１１ｂ３，１１ｂ４を、基部１１ｂ１やその他のパネル材等に溶接する溶接部である。この溶接部１１ｐ及び該溶接部１１ｐによる接合箇所は、壁材ｘ内面との干渉を避けるように、防火板１１ｂ２，１１ｂ３，１１ｂ４を部分的に戸袋部Ｂ内側へ凹ませた部分に設けられる。溶接部１１ｐは、横幅方向に連続して設けてもよいし、横幅方向に間欠的に設けるようにしてもよい。
【００３５】
上側横枠１１内の空間Ｄは、戸袋部Ｂ内の空間に連通しており、引戸２０の上端側を挿入する開口部（図中、迂回路ｓ１を有する開口部）、及び開放動作した際の引戸２０を挿入する開口部（図中、迂回路ｓ２を有する開口部）以外の部分を略密閉しており、火災時等に引戸２０から排出されたガスを収容するガス収容部として機能する。
【００３６】
引戸２０は、正面視略矩形状の引戸本体２１と、該引戸本体２１の上端面に固定された上端側防炎補助部材２２（図２参照）と、防炎補助部材２２から上方へ突出する移動支持部２０ａ（支持ブラケット２３及び吊車２４）（図２参照）と、引戸本体２１の戸尻側の端面に固定された戸尻側防炎補助部材２５（図４参照）と、錠前装置２８（図７参照）とを具備し、該引戸２０における周端側の少なくとも一部（図示例によれば上端部）に、引戸本体２１内の中空部Ｃ１，Ｃ２を引戸外に連通するためのガス抜き孔２２ｄ（図８参照）を有する。
そして、この引戸２０は、移動支持部２０ａによりガイドレール１１ｃに吊るされるとともに、下端側が床面のガイドローラ２６（図２参照）に嵌め合せられて、横幅方向へ直進運動する。
【００３７】
引戸本体２１は、通路用開口部Ａを略覆う矩形板状に構成され、その上端側部分を、上側横枠１１に挿入している。この引戸本体２１は、ある程度の厚みを有する中空状に構成され、その内部には、当該引戸装置１の使用目的に応じた材料（例えば、断熱材や防音材、耐火部材、補強材等）からなる芯材２１ａ（図２参照）が設けられる。
より詳細に説明すれば、この引戸本体２１は、戸厚方向に間隔を置いて設けられた二枚の表面板２１ｂ，２１ｃと、これら表面板２１ｂ，２１ｃ間に設けられた複数の骨材２１ｆ，２１ｈ，２１ｉ，２１ｊ，２１ｋ１，２１ｎ，２１ｐと、中央側に設けられる小窓２７とを備え、内部には、複数の前記骨材によって仕切られた複数の中空部Ｃ１，Ｃ２を有する（図８参照）。
【００３８】
表面板２１ｂ，２１ｃは、平面視矩形状の板材であり、戸厚方向に間隔を置いて配置される。これら表面板２１ｂ，２１ｃの間には、後述する複数の骨材が設けられる。
【００３９】
複数の骨材２１ｆ，２１ｈ，２１ｉ，２１ｊ，２１ｋ１，２１ｎ，２１ｐは、それぞれ、断面コ字状の長尺部材である。
図８に示す一例によれば、骨材２１ｆは、引戸本体２１の戸尻側端部の近傍に上下方向へわたって設けられる。骨材２１ｈは、引戸本体２１の下端側近傍に横幅方向へわたって設けられる。骨材２１ｉは、引戸本体２１の戸先側端部から所定量戸尻側に離れた位置に上下方向へわたって設けられる。骨材２１ｊは、引戸本体２１の戸尻側端部から所定量戸先側に離れた位置に上下方向へわたって設けられる。骨材２１ｋ１は、引戸本体２１の戸先側端部の近傍に上下方向へわたって設けられる。骨材２１ｐは、引戸本体２１の上部側において骨材２１ｉと骨材２１ｊの間に横幅方向へわたって設けられる。骨材２１ｎは、引戸本体２１の下部側において骨材２１ｉと骨材２１ｊの間に横幅方向へわたって設けられる。
そして、これら複数の骨材は、溶接やネジ止め等の固定手段によって一体状に固定される。
【００４０】
特に、図８中、右端寄りの中空部Ｃ１は、上下方向へわたる平行な二本の骨材２１ｊ，２１ｆと、下端側の骨材２１ｈと、後述する上端の上端側防炎補助部材２２と、厚み方向前後の表面板２１ｂ，２１ｃとによって囲まれる正面視縦長矩形状に形成され、複数の前記骨材間で上下方向及び左右方向へ連続するとともに、上端側防炎補助部材２２のガス抜き孔２２ｄに連通しており、ガス抜き孔２２ｄ以外の部分では周壁を略密閉した空間である。この中空部Ｃ１には、芯材２１ａ（図２参照）等が設けられる。
【００４１】
同様に、図８中、上端左寄りの中空部Ｃ２は、上下方向へわたる平行な二本の骨材２１ｉ，２１ｊと、これらの間における上端寄りで横幅方向へわたる骨材２１ｐと、上端側防炎補助部材２２と、厚み方向前後の表面板２１ｂ，２１ｃとによって囲まれる正面視矩形状に形成され、正面視横長矩形状に形成され、複数の前記骨材間で上下方向及び左右方向へ連続するとともに、上端側防炎補助部材２２のガス抜き孔２２ｄに連通しており、ガス抜き孔２２ｄ以外の部分では周壁を略密閉した空間である。
【００４２】
図８中、左半部側に矩形状に構成される骨材２１ｉ，２１ｊ，２１ｎ，２１ｐの内部には、小窓２７が固定される。この小窓２７は、耐熱板ガラスからなる矩形板状の部材であり、図６に示すように、その外周縁部分が、パッキン等を介して枠材２７ａにより支持されている。
【００４３】
また、引戸本体２１における戸先側端部側には、図７及び図１１に示すように、横断面コ字状の骨材２１ｋ２と、該骨材２１ｋ２の前端側に断面コ字状に嵌り合う骨材２１ｋ１と、該骨材２１ｋ２の後側の部分を挟むようにして固定された二枚の補強板２１ｋ３，２１ｋ３と、骨材２１ｋ１の表裏面に接着された二枚の表面板２１ｂ，２１ｃに対し外側から断面コ字状に嵌り合う補強材２１ｍと、が設けられる。そして、補強板２１ｋ３，２１ｋ３及び表面板２１ｂ，２１ｃを間に挟むとともに挿通するようにして錠前装置２８が組み付けられている。骨材２１ｋ１前端側の切欠部２１ｋ１１は、錠前装置２８を組付ける際に用いられる。
【００４４】
上記構成の骨材２１ｋ２、補強板２１ｋ３及び補強材２１ｍは、火災時における引戸本体２１の戸先側の変形や、該変形に起因するガス洩れ等を防ぐ。
すなわち、仮に骨材２１ｋ２を有さない構造であった場合には、火災時の高温により、表面板２１ｂ，２１ｃが戸厚方向の内側（切欠部２１ｋ１１内側）へ変形するおそれがあるが、このような熱変形を、断面略コ字状の骨材２１ｋ２によって阻むことができる。
さらに、仮に補強材２１ｍを有さない構造であった場合には、火災時の高温により、表面板２１ｂ，２１ｃの各々が剥がれて反るように変形し、その隙間から引戸２０内の有機ガス等が洩れるおそれがあるが、このような熱変形及びガス漏れを断面略コ字状の補強材２１ｍによって阻むことができる。
【００４５】
同様にして、引戸本体２１における戸尻側端部寄りの骨材２１ｆ及び補強材２１ｇ（図１０，図１１及び図１４参照）や、引戸本体２１における上端部寄りの骨材２１ｄ、補強材２１ｅ（図１３参照）も、火災時における熱変形や有機ガス等の洩れを防ぐように作用する。
【００４６】
また、引戸本体２１の下端側の骨材２１ｈは、下方へ開口を向けた断面コ字状であって引戸横幅方向へ連続するように形成され（図１５参照）、その戸厚方向の両端面に表面板２１ｂ，２１ｃを止着している。
表面板２１ｂ，２１ｃのそれぞれの下端側には、骨材２１ｈの下端縁を包むようにして潰し曲げされた断面略Ｕ字状の曲げ部２１ｂ１，２１ｃ１が形成される。これら曲げ部２１ｂ１，２１ｃ１は、それぞれ、骨材２１ｈの下端縁に凹状に嵌り合うことで、火災時の高温によって表面板２１ｂ，２１ｃが骨材２１ｈから剥がれるのを防ぐ。
【００４７】
曲げ部２１ｂ１，２１ｃ１の引戸横幅方向の各端部は、対向する補強材２１ｍ（又は２１ｇ）に対し略接触するように位置する。
詳細に説明すれば、図１０の引戸２０の下面図に示すように、曲げ部２１ｂ１，２１ｃ１と補強材２１ｍの隙間ｃ、曲げ部２１ｂ１，２１ｃ１と補強材２１ｇの隙間ｃ、骨材２１ｈと補強材２１ｍの隙間ｃ、骨材２１ｈと補強材２１ｇの隙間ｃは、何れも０ｍｍ又は０ｍｍに近い寸法に設定される。よって、火災時等の高熱により引戸本体２１内のガスが前記隙間ｃから外部へ流出するのを防ぐことができる。
【００４８】
また、上端側防炎補助部材２２は、引戸横幅方向の略全長にわたって、引戸本体２１の上端面に固定された略矩形板状の部材であり（図８及び図９参照）、戸厚方向の両端部を、引戸本体２１の表裏面から突出している（図２参照）。この突端側には、下方へ突出して迂回路ｓ１を構成する引戸側突片部２２ａと、上方へ突出して火災時の溶融物等の落下を阻む突片部２２ｂとを有する（図２及び図１３参照）。
また、上端側防炎補助部材２２の戸尻側端部２２ｃは、引戸２０の戸尻側端部から戸袋部Ｂ内へ突出して（図８参照）、火災時の溶融物が戸袋部Ｂ内で戸尻側に落下するのを防ぐ。
この上端側防炎補助部材２２の材質は、耐熱性及び耐腐食性の良好な材料であればよく、例えば、亜鉛メッキ鋼板等とされる。
【００４９】
引戸側突片部２２ａは、図１３に示すように、上端側防炎補助部材２２の戸厚方向の突端側を、枠体側突片部１１ａ２１よりも引戸２０面から離隔するとともに、引戸面に沿うように下方へ曲げることで形成され、引戸横幅方向の略全長にわたって連続している。
【００５０】
また、上側横枠１１側の突片部２２ｂは、図１３に示すように、上端側防炎補助部材２２の戸厚方向の突端側を、引戸２０面から離隔した位置で、引戸側突片部２２ａとは逆に上方へ突出させてなり、引戸横幅方向の略全長にわたって連続している。
【００５１】
また、上端側防炎補助部材２２の上面には、図９に示すように、複数のガス抜き孔２２ｄが設けられる。これらガス抜き孔２２ｄは、引戸２０内の中空部Ｃ１，Ｃ２と引戸２０上方の空間とを連通しており、火災時の高温により発生する引戸２０内のガスを上側横枠１１内へ排出する。
【００５２】
上端側防炎補助部材２２の上面において、ガス抜き孔２２ｄの周囲には、上端側防炎補助部材２２上面よりも上方へ突出した円筒状の堤部２２ｅが設けられる（図９参照）。この堤部２２ｅは、火災時の高温による溶融物が、上端側防炎補助部材２２の上面に落下し、さらに上端側防炎補助部材２２上面を伝ってガス抜き孔２２ｄ内へ侵入するのを防ぎ、ひいては、前記溶融物の高熱により、引戸２０内の芯材２１ａや接着剤等が溶融したり揮発したり引火の原因になったりするのを防ぐ。
【００５３】
また、図９に示すように、上端側防炎補助部材２２の上面における戸先側と戸尻側には、それぞれ、戸先側突片部２２ｆと、戸尻側突片部２２ｇが設けられる。これら突片部２２ｆ，２２ｇは、上端側防炎補助部材２２上面から上方へ突出するとともに、戸厚方向両側の突片部２２ｂ，２２ｂの間にわたって連続している。
戸先側突片部２２ｆは、火災時の溶融物が戸先側へ落下するのを防ぐ。また、戸尻側突片部２２ｇは、火災時の溶融物が戸尻側へ落下するのを防ぐ。
【００５４】
なお、図９中、符号２２ｈは、吊車２４の支持ブラケット２３を固定する取付孔であり、火災時に吊車２４の溶融物がガス抜き孔２２ｄに落下するのを防ぐように、ガス抜き孔２２ｄに対し引戸横幅方向へ離れた位置に設けられる。
【００５５】
また、移動支持部２０ａは、支持ブラケット２３及び吊車２４を備え、引戸本体２１（詳細には上端側防炎補助部材２２）の上端面に、引戸横幅方向へ間隔を置いて複数（図示例によれば二つ）支持される。
支持ブラケット２３は、図示例によれば、断面Ｌ字状の金具であり、その底片部分を引戸本体２１上端に固定するとともに、上方へ突出する垂直状片部分に、吊車２４を回転自在に支持している。
吊車２４は、例えば、合成樹脂材料等から薄肉円柱状に形成され、その外周面をガイドレール１１ｃ上で転動させるように係合している。
【００５６】
また、戸尻側防炎補助部材２５は、引戸上下方向の略全長にわたって、引戸本体２１の戸尻側の端面に固定された略矩形板状の部材である（図４、図１０及び図１１参照）。この戸尻側防炎補助部材２５における戸厚方向の両端側には、引戸本体２１面から突出するとともに戸先方向へも突出した引戸側突片部２５ａが形成される。この引戸側突片部２５ａは迂回路ｓ２を構成する。
【００５７】
次に、引戸２０上端側と戸尻側の迂回路ｓ１，ｓ２について詳細に説明する。
引戸２０上端側の迂回路ｓ１は、図１３に示すように、引戸２０上端から戸厚方向へ突出して下方へ向く引戸側突片部２２ａや、上側横枠１１の下端側から突出して引戸面と引戸側突片部２２ａとの間に下方から入り込む枠体側突片部１１ａ２１，１１ａ１１、上側横枠１１内の空間等によって構成される。そして、この迂回路ｓ１は、引戸２０を挟む一方の空間と他方の空間（例えば、図１３の引戸２０左右の空間）を、上側横枠１１内を介して連通している。
この迂回路ｓ１は、引戸２０内からガス抜き孔２２ｄを介して上側横枠１１（ガス収容部）内に収容されるガスが、上側横枠１１と引戸２０との隙間から外部に洩れるのを最小限に食い止めるように、上側横枠１１（ガス収容部）内から前記隙間に侵入する流体の進行方向を一旦逆方向へ向けた後に元の方向へ戻す略蛇行状の経路を形成している（図１３の二点鎖線参照）。
【００５８】
また、引戸２０戸尻側の迂回路ｓ２は、図１４に示すように、引戸２０の戸尻側端部から戸厚方向へ突出するとともに戸先方向へ延設された引戸側突片部２５ａや、中央側縦枠１３の戸先側端部から引戸２０面側へ突出するとともに引戸２０面と引戸側突片部２５ａとの間に入り込む枠体側突片部１３ａ、戸袋部Ｂ内の空間等によって構成される。そして、この迂回路ｓ２は、引戸２０を挟む一方の空間と他方の空間（例えば、図１４の引戸２０上下の空間）を、戸袋部Ｂ内を介して連通している。
この迂回路ｓ２は、引戸２０内からガス抜き孔２２ｄを介して上側横枠１１（ガス収容部）内及び戸袋部Ｂ内に収容されるガスが、中央側縦枠１３と引戸２０との隙間から外部に洩れるのを最小限に食い止めるように、戸袋部Ｂ（ガス収容部）内から前記隙間に侵入する流体の進行方向を一旦逆方向へ向けた後に元の方向へ戻す略蛇行状の経路を形成している（図１４の二点鎖線参照）。
【００５９】
次に、上記構成の引戸装置１について、特徴的な作用効果を詳細に説明する。
引戸２０の全閉状態において、通常時は、上側横枠１１と引戸２０の間には、隙間が確保されるため、この隙間によって、引戸２０の開閉動作性を良好に維持することができる（図２参照）。
また、万が一、火災等の発生により、引戸２０内が高温になった場合には、引戸２０内の中空部Ｃ１，Ｃ２等に、接着剤の揮発等に起因して有機ガスが発生する場合がある。引戸２０内は、上述したようにガス抜き孔２２ｄ以外の部分が略密閉された構造であるため、前記ガスは、中空部Ｃ１，Ｃ２内を上昇して、ガス抜き孔２２ｄから引戸２０外へ排出され、上側横枠１１内に収容され、さらに、上側横枠１１と連通する戸袋部Ｂ内にも収容される。
よって、引戸２０内のガスが屋内側等に洩れて、通行者や外部の物体等に悪影響を与えたりするのを防ぐことができる。
【００６０】
また、前記ガスの発生量が比較的多い場合には、上側横枠１１及び戸袋部Ｂ内に収容されたガスが、上側横枠１１の上端側と引戸２０の隙間や、上側横枠１１の戸尻側と中央側縦枠１３との隙間を通じて、当該引戸装置１の外へ洩れるおそれがあるが、このような場合であっても、前記隙間内の迂回路ｓ１，ｓ２（図１３及び図１４）による流通抵抗によって、その洩れ量を最小限に食い止めたり、ガス洩れスピードを遅らせたりすることができる。
なお、迂回路ｓ１，ｓ２は、引戸２０の上端側や戸尻側に火炎を受けた場合に、この火炎を前記隙間に通過させ難くする作用も奏する。
【００６１】
また、火災時の高熱により上側横枠１１内のガイドレール１１ｃや吊車２４、支持ブラケット２３等が熱溶融した場合には、その溶融物の落下を受部材１１ｇ及び上端側防炎補助部材２２により防いで、該溶湯物が床面に落ちて火種となるようなことを防ぐことができる。さらに、前記溶融物が引戸２０内に侵入するのを堤部２２ｅによって阻むことができるため、前記溶融物の引戸２０内への侵入に起因する引戸２０内の熱溶融や揮発、これらに起因するガスの発生等も防ぐことができる。
【００６２】
次に、本実施の形態の他の具体例である引戸装置２について説明する（図１６参照）。なお、この引戸装置２について、上記引戸装置１と略同様の部分については同一の符号を付けることで詳細な説明を省略する。
上述した引戸装置１（図１参照）が構築構造物の壁部の厚み内に引戸２０（開閉体）を配置しているのに対し、以下に示す引戸装置２（図１６参照）は、構築構造物の壁部から厚み方向へ突出するように引戸２０’（開閉体）を配置している（面付けタイプと呼称される）。
【００６３】
引戸装置２は、内側に矩形状の通路用開口部Ａを有する枠体１０’と、通路用開口部Ａを横幅方向への移動により開閉する引戸２０’とを具備する。
【００６４】
枠体１０’は、引戸２０’の開閉経路の上方側に位置する上側横枠（図示せず）と、通路用開口部Ａの開放方向側（図１６によれば左端側）に位置する戸先側縦枠１２’と、引戸２０’の開閉範囲の中央寄りに位置する中央側縦枠１３’と、全開時の引戸２０’の戸尻に対向するように位置する戸尻側縦枠１４’とを具備する。
【００６５】
この枠体１０’の前記上側横枠は、縦断面構造（図２参照）においては上記上側横枠１１と略同様の基本構造を有しているが、外部に開放された戸袋部Ｂ（図１６参照）には連通しておらず、引戸２０’の上端側を挿入するための開口部（図示せず）以外の部分を略密閉している。そして、この上側横枠内には、上述したガイドレール１１ｃ、受部１１ｇ及び移動支持部２０ａ等を内在する。
また、枠体１０’の前記上側横枠（図示せず）と引戸２０’との間には、上記引戸装置１と略同様にして迂回路が形成され（図１３参照）、また、全閉時の引戸２０’の戸尻側部分と戸尻側縦枠１４’との間には、後述する迂回路ｓ３が形成される（図１６参照）。
【００６６】
戸先側縦枠１２’は、通路用開口部Ａの開閉体閉鎖方向側の端部に位置する部材であり、構築構造物等の壁部から厚み方向（図１６によれば下方）へ突出する部分を有し、この突出部分に、引戸２０の戸先を嵌脱する凹部１２ａ’を上下方向へわたって形成している。
この戸先側縦枠１２’内には、図１６に破線で示すように、戸厚方向へわたる横断面略Ｌ字状の補強材１２ｂ’が固定される。この補強材１２ｂ’は、上下方向に間隔を置いて複数配設され、枠体１０’の引戸２０’側の部分（図１６における下側部分）が火災時の熱変形により横幅方向（図１６によれば左方向）へ広がってしまうのを防ぐ。
【００６７】
中央側縦枠１３’は、通路用開口部Ａの戸尻側の内縁を形成するとともに、全閉時の引戸２０’の後端側部分に重なり合う部材である。
この中央側縦枠１３’における戸厚方向の一端側（図１６によれば下端側）には、戸厚方向へ突出するとともに戸尻方向へ向くように枠体側突片部１３ａ’が設けられる。この枠体側突片部１３ａ’は、上下方向へ連続して設けられ、迂回路ｓ３（図１６参照）を構成する。
なお、図１６中、符号１３ｂ’は、中央側縦枠１３’の熱変形を防ぐ補強材である。
【００６８】
戸尻側縦枠１４’は、構築構造物等の壁部から引戸２０’側（図１６によれば下方）へ突出するとともに、図示しない上側横枠から床面にわたる上下方向へ連続するように形成される。この戸尻側縦枠１４’は、引戸２０’を収納するための戸袋部Ｂの戸尻側端部を構成している。
【００６９】
引戸２０’は、上記引戸２０に対し、戸尻側防炎補助部材２５を戸尻側防炎補助部材２５’に置換した構成とされる。この引戸２０’の上端部には、上記引戸２０と同様に、上端側防炎補助部材２２が固定される（図示省略）。
【００７０】
戸尻側防炎補助部材２５’は、引戸上下方向の略全長にわたって、引戸本体２１の戸尻側の端面に固定された略矩形板状の部材である。この戸尻側防炎補助部材２５’には、引戸本体面よりも中央側縦枠１３’側へ突出するとともに戸先方向へも突出した引戸側突片部２５ａ’が形成される（図１６参照）。この引戸側突片部２５ａ’は迂回路ｓ３を構成する。
【００７１】
迂回路ｓ３は、図１６に示すように、引戸２０’の戸尻側端部から中央側縦枠１３’側へ突出するとともに戸先方向へ延設された引戸側突片部２５ａ’や、中央側縦枠１３’から引戸２０’面側へ突出するとともに引戸２０’面と引戸側突片部２５ａ’との間に入り込む枠体側突片部１３ａ’等によって構成される略蛇行状の通路である。この迂回路ｓ３は、引戸２０’を挟む一方の空間と他方の空間（図１６によれば引戸２０’上下の空間）とを連通している。
【００７２】
よって、上記構成の引戸装置２によれば、上記引戸装置１と略同様に、火災時等の高熱により引戸２０’内に発生したガスを、引戸２０’上端側のガス抜き孔（図示せず）によって、上側横枠（図示せず）内へ逃がすことができる。さらに、引戸２０’の上端側や戸尻側に火炎を受けた場合に、この火炎が引戸２０’上端側や戸尻側の隙間に通過するのを、引戸２０’の上端側の迂回路（図示せず）や引戸２０’の戸尻側の迂回路ｓ３によって防ぐことができる。
また、図示しない上側横枠１１内の部材が熱溶融等した場合には、該熱溶融に起因する落下物が床面や引戸２０’内に落下するのを、引戸２０’上側の受部材、上端側防炎補助部材及び堤部（図示せず）によって防ぐことができる。
【００７３】
なお、上記態様において、上端側防炎補助部材２２は、図１７に示す上端側防炎補助部材２２’に置換することが可能である。上端側防炎補助部材２２’は、上記上端側防炎補助部材２２（図９参照）の堤部２２ｅを堤部２２ｅ’に置換したものである。
堤部２２ｅ’は、戸先側及び戸尻側の突片部２２ｆ，２２ｇと同構成の部材であり、ガス抜き孔２２ｄを間に置くようにして一対に設けられる。各堤部２２ｅ’は、上端側防炎補助部材２２’における戸厚方向両側の突片部２２ｂ，２２ｂ間にわたって上方へ突出するように設けられる。
この上端側防炎補助部材２２’によれば、火災時等に引戸２０’上方から落下した溶融物がガス抜き孔２２ｄ内へ侵入するのを、突片状の堤部２２ｅ’によって阻むことができ、その上、堤部２２ｅ’を装着する際の製造性も良好である。
【００７４】
また、上記態様では、ガス抜き孔２２ｄを円形孔としたが、他例としては、ガス抜き孔２２ｄを、矩形孔や、スリット状の孔等とすることも可能である。
【００７５】
また、上記態様では、ガス抜き孔２２ｄを引戸２０の上端部に設けたが、他例としては、ガス抜き孔２２ｄを引戸２０上端側の表裏面（表面板２１ｂ，２１ｃ面）に設け、このガス抜き孔２２ｄを含む引戸２０の上端側を、上側横枠１１によって覆うようにすることも可能である。
【００７６】
また、上記態様では、ガス抜き孔２２ｄを引戸２０の上端部のみに設けたが、他例としては、上記態様に加えて、ガス抜き孔２２ｄを引戸２０の戸尻側にも設けるようにしてもよい。この構成によれば、引戸２０内のガスを逃がす方向が上方と戸尻方向の二方向となるため、ガスを上側横枠１１内及び戸袋部Ｂ内へ効率的に逃がすことができる。さらに、他例としては、引戸２０上端側のガス抜き孔２２ｄを省き、引戸２０の戸尻側のみにガス抜き孔２２ｄを設けるようにすることも可能である。
【００７７】
さらに、他例としては、上記ガス抜き孔を引戸２０の戸先側に設けて、引戸２０内のガスを全閉時に戸先側縦枠１２内へ逃がすようにした態様や、上記引戸２０を引戸２０の下端側に設けて、引戸２０内のガスを床面内へ逃がすようにした態様等とすることも可能である。
【００７８】
また、上記態様では、引戸２０内からガス抜き孔２２ｄを通って排出されるガスを、上側横枠１１内及び戸袋部Ｂ内に収容するようにしたが、他例としては、当該引戸装置１，２の設置対象である構築物の壁内を中空状に形成するとともに該壁内を上側横枠１１内に連通することで、引戸２０内のガスを上側横枠１１内及び前記壁内へ逃がすようにすることも可能である。
【００７９】
また、上記態様では、上吊式の引戸装置１，２を構成したが、他例としては、上記ガイドレール１１ｃ及び移動支持部２０ａに換えて、引戸２０と床面との間にローラ及び該ローラを案内するレール等を設け、床面を転がって開閉動作する引戸装置を構成することも可能である。このようにした場合も、引戸２０の上方側に、上述した中空状の上側横枠１１を設けることで、引戸２０内をガスをガス抜き孔２２ｄを介して上側横枠１１内へ逃がすことができる。
【００８０】
なお、上記態様において、掛止部１１ｂ２１を省いて複数の防火板１１ｂ２，１１ｂ３，１１ｂ４をそれぞれ溶接で固定することも可能であるが、施工時に防火板を持ち上げて支える作業を容易にする観点からは、図３に示すように、上方側の防火板には掛止部を設けた方がよく、特に一番上の防火板１１ｂ２（又は１１ｂ４）には、掛止部１１ｂ２１を設けるのが好ましい。
【００８１】
また、上記態様では、特に耐火性能の高い引戸装置を構成したが、掛止部１１ｂ２１及び溶接部１１ｐ等の構造は、上記態様よりも耐火性能の低い通常の引戸装置に適用した場合にも、上述した作業性等の作用効果を奏する。
【００８２】
また、上記態様では、受部材１１ｇと上端側防炎補助部材（受部材）２２の二つの受部材を設けたが、他例として、特に使用上の支障等がなければ、一方の前記受部材を省くことも可能である。
【００８３】
また、上記態様では、上端側防炎補助部材２２及び戸尻側防炎補助部材２５をそれぞれ戸厚方向において対称形状とし、製造性の向上をはかったが、他例としては、これらを非対称形状とすることが可能である。
【００８４】
また、上記態様では、特に好ましい具体例として、下方向きの引戸側突片部２２ａ及び上方向きの突片部２２ｂを、戸厚方向の一方と他方に設けたが、使用上特に支障等がなければ、何れか一方を省くことが可能である。
また、溶融物等の落下防止のみを要する場合や、迂回路ｓ１による作用効果のみを要する場合等、使用上の目的によっては、引戸側突片部２２ａと突片部２２ｂのうち、その一方を省くことも可能である。
【００８５】
また、引戸２０の補強を目的に引戸２０内に一つ又は複数の骨材や補強材を組み込む場合、これら骨材等は、引戸２０の上下方向、横幅方向等、方向については任意とすることが可能である。しかし、図８の一例のように、ガス抜き孔２２ｄが上方に設けられている場合には、中空部Ｃ１，Ｃ２内に発生したガスの移動を妨げにくくするために、前記骨材等を上下方向に組み込むことが好ましい。
また、他例として、ガス抜き孔２２ｄを戸尻側のみに設けた場合には、中空部Ｃ１，Ｃ２内に発生したガスの戸尻側への流れを妨げないように、前記骨材等を横幅方向（左右方向）へ組み込むのが好ましい。なお、前記何れの場合にも、前記骨材の端部は、ガス抜き孔２２ｄを塞がないように避けた位置とするのが好ましい。
【符号の説明】
【００８６】
１，２：引戸装置
１０，１０’：枠体
１１：上側横枠（ガス収容部）
２０，２０’：引戸
２１ａ：芯材
２１ｂ，２１ｃ：表面板
２１ｄ，２１ｆ，２１ｈ，２１ｉ，２１ｊ，２１ｋ１，２１ｋ２，２１ｎ，２１ｐ：骨材
２１ｇ，２１ｅ，２１ｍ：補強材
２２ｄ：ガス抜き孔
２２ｅ，２２ｅ’：堤部
Ａ：通路用開口部
Ｂ：戸袋部（ガス収容部）
Ｃ１，Ｃ２：中空部
【図１】
2014206011.tif 000003
【図２】
2014206011.tif 000004
【図３】
2014206011.tif 000005
【図４】
2014206011.tif 000006
【図５】
2014206011.tif 000007
【図６】
2014206011.tif 000008
【図７】
2014206011.tif 000009
【図８】
2014206011.tif 000010
【図９】
2014206011.tif 000011
【図１０】
2014206011.tif 000012
【図１１】
2014206011.tif 000013
【図１２】
2014206011.tif 000014
【図１３】
2014206011.tif 000015
【図１４】
2014206011.tif 000016
【図１５】
2014206011.tif 000017
【図１６】
2014206011.tif 000018
【図１７】
2014206011.tif 000019